(57)【要約】【課題】カード作成用台紙からカード基材を剥離する際、カード基材が破れにくい、２つ以上に折り畳んで使用するカードを作成するためのカード作成用台紙を提供する。【解決手段】カード基材１０と支持台紙とが剥離可能に接着したカード作成用台紙１であって、前記カード基材１０には該カード基材１０を折り畳むための筋押し部１８が形成されており、該筋押し部の末端が、カード基材の外縁１０ｂから０．５ｍｍ以上離れていることを特徴とするカード作成用台紙１。【選択図】図１
2008229975.tif 000002
【特許請求の範囲】
【請求項１】
カード基材と支持台紙とが剥離可能に接着したカード作成用台紙であって、前記カード基材には該カード基材を折り畳むための筋押し又はミシン目加工線が形成されており、該筋押し又はミシン目加工線の末端が、カード基材の外縁から０．５ｍｍ以上離れていることを特徴とするカード作成用台紙。
【発明の詳細な説明】
【技術分野】
【０００１】
本発明は、２つ以上に折って使用するカードのカード作成用台紙に関する。
【背景技術】
【０００２】
例えば、個人用カードは、病院の診察券や健康保険証等といった場面で広く使用されている。その中でも、薄手で携帯性が優れ、情報記録面の保護が可能な、カードの表面が透明フィルム等でラミネートされたラミネートカードがよく使用される。また、カード作成後にボールペン等により書き込めるように、片面のみがラミネート加工されたカードの利用も多い。このような片面ラミネートカードでは、２つ折り構造のものがよく利用される。
【０００３】
２つ折り構造のラミネートカードは、同じ形状をした第１のカード部分と第２のカード部分を有し、これらを２つに折り畳んで使用する。したがって、カードを大きくすることなく記録情報量を増大できる点や、非ラミネート面を内側にすることで、その面の耐久性及び防汚性が高められる点等で優れている。
【０００４】
従来、上記のようなラミネートカードの作成には、透明フィルムとカード台紙とが貼着されたカード基材と、支持台紙とが剥離可能に疑似接着され、前記カード基材に折り畳むための筋押しが設けられたカード作成用台紙が用いられる（例えば、特許文献１参照。）。この場合には、カード作成用台紙からカード基材を剥離し、その後に、剥離したカード基材を筋押し部分に沿って２つ折りにするだけで、容易に２つ折り構造のラミネートカードが作成できる。
【０００５】
また、近年はデザイン性の点から、四隅が丸いカードが好んで使用されるため、２つ折り構造のラミネートカードの四隅を丸くすることが求められる。そこで、第１のカード部分と第２のカード部分の四隅が全て丸くなったカード基材が、支持台紙に疑似接着されたカード作成用台紙が利用される。このときには、カード基材は、第１のカード部分と第２のカード部分の四隅が全て丸くなっているため、第１のカード部分と第２のカード部分との間に、カード基材の内側へと切れ込んだくびれ部分を有することとなる。
【特許文献１】実用新案登録第３０９１３３５号公報
【発明の開示】
【発明が解決しようとする課題】
【０００６】
しかし、これまでに説明したような、２つ折り構造のラミネートカードを作成するための、カード基材と支持台紙とが疑似接着されたカード作成用台紙では、カード基材をカード作成用台紙から剥離する際に、カード基材が途中から破れてしまうことがあった。本発明は、カード作成用台紙からカード基材を剥離する際に、カード基材が破れにくい、２つ以上に折り畳んで使用するカードを作成するためのカード作成用台紙を提供する。
【課題を解決するための手段】
【０００７】
上記の課題を解決するために、本発明は、カード基材と支持台紙とが剥離可能に接着したカード作成用台紙であって、前記カード基材には該カード基材を折り畳むための筋押し又はミシン目加工線が形成されており、該筋押し又はミシン目加工線の末端が、カード基材の外縁から０．５ｍｍ以上離れていることを特徴とするカード作成用台紙を提供する。
【発明の効果】
【０００８】
本発明によれば、カード作成用台紙からカード基材を剥離する際に、カード基材が破れにくい、２つ以上に折り畳んで使用するカードを作成するためのカード作成用台紙が提供できる。
【発明を実施するための最良の形態】
【０００９】
以下に、本発明の実施形態の一例として、片面が透明フィルムでラミネート加工された、２つ折り構造のカードを作成するための枚葉のカード作成用台紙について、図１〜図４に基づいて詳細に説明する。
カード作成用台紙１は、図２に示すように、カード台紙１１と透明フィルム１２とが貼着剤４１により貼着された積層体２と、支持台紙２０とが疑似接着層３０を介して剥離可能に疑似接着されている。
【００１０】
積層体２には、カード台紙１１から透明フィルム１２まで、２つ折り構造のカードの形状でカード状打ち抜き１３が設けられ、カード基材１０が形成される。したがって、カード作成用台紙１では、カード基材１０と支持台紙２０とが剥離可能に疑似接着されている。したがって、カード台紙１１ａと透明フィルム１２ａとが貼着されたカード基材１０が、作成用台紙から剥離できるようになっている。
【００１１】
カード基材１０は、図１に示すように、第１のカード部分１４と第２のカード部分１５を有する。また、デザイン性の点からカード部分１４、１５の隅角部１４ａ、１４ｂ、１５ａ、１５ｂが円弧状になっている。そのため、第１のカード部分１４と第２のカード部分１５との間には、カードの隅角部１４ｂ、１５ｂによって、くびれ部分１６が形成される。
【００１２】
カード基材１０のくびれ部分１６の形状は、図４に示すように、角のない形状であるのが好ましい。例えば、図４（ａ）、（ｂ）のようにくびれ部分１６の底の形状が円弧状になっているものや、図４（ｃ）のように、角が円弧状になっている四角型のくびれ部分１６等が好ましい。また、図４（ｄ）のように、カードの隅角部１４ｂ、１５ｂの形状は違っているが、くびれ部分１６の底の形状が円弧状となっているものも好ましい。
このように、くびれ部分１６に角がなければ、カード基材１０を作成用台紙１から剥離する際、カード基材１０がくびれ部分１６から破れにくくなる。
【００１３】
また、カード基材１０には、カード基材の表面１０ａに、カード基材の中心線１７に沿って筋押し部１８が設けてある。そのため、カード基材１０は、カード表面１０ａを内側にして、筋押し部１８に沿って容易に折り畳むことができる。
本発明のカード作成用台紙１では、図３に示す、カード基材の外縁１０ｂから筋押し部の末端１８ａまでの距離ａ１が０．５ｍｍ以上であることを特徴とする。また、距離ａ１が１ｍｍ〜２０ｍｍの範囲であるのが好ましい。距離ａ１が１ｍｍ以上であれば、カード基材１０を支持台紙２０から剥離する際、カード基材１０がより破れにくくなる。また、距離ａ１が２０ｍｍ以内であれば、カード基材１０が筋押し部１８に沿って綺麗に折り畳みやすくなる。
【００１４】
筋押し部１８の幅ｂ１は、０．５ｍｍ〜２．５ｍｍの範囲であるのが好ましく、１．０ｍｍ〜２．０ｍｍであるのがより好ましい。幅ｂ１が０．５ｍｍ以上であれば、カード基材１０が筋押し部１８に沿って折り畳みやすい。また、幅ｂ１が２．５ｍｍ以内であれば、カード基材１０を綺麗に折り畳みやすくなる。
ここで、筋押し部１８は、筋押し刃等による筋押しにより設けられる。また、筋押し部１８は、図５に示すように、ミシン目加工線１９に代えてもよい。また、筋押しとミシン目加工線を混合して設けてもよく、筋押し部１８を破線状に設けてもよい。
【００１５】
また、カード作成用台紙１のうち、カード台紙１１を除く部分である積層体３（図２参照）は、カード台紙１１よりも小さく（カード台紙１１の外縁から０．５ｍｍ〜１．０ｍｍ程度）設計するのが好ましい。これにより、カード作成用台紙１のカード基材の表面１０ａにプリンタにより印字する際に、貼着剤４１がプリンタのドラム等に付着して、印字不良や紙詰まりが起きることを防げる。
【００１６】
ここで、カード基材１０のカード台紙１１としては、例えば、紙類、フィルム類等が適宜使用できる。紙類としては、例えば、キャストコート紙、アート紙、コート紙、上質紙等の紙類が挙げられ、フィルム類としては、例えば、ポリプロピレン、ポリエチレン、ポリエチレンテレフタレートやポリブチレンテレフタレート等のポリエステル、塩化ビニル等の各種高分子フィルム等が挙げられる。また、蒸着紙、合成紙、布、不織布、金属ホイル等も使用できる。
【００１７】
透明フィルム１２としては、例えば、疑似接着層３０がポリエチレン層からなるときは、ポリエチレンテレフタレートやポリブチレンテレフタレート等のポリエステル製フィルム、あるいは、疑似接着層側にポリエステル製フィルムがラミネートされた樹脂フィルムが好適に用いられる。また、カード台紙１１が透明フィルム１２と同質の材料からなり、カード台紙１１が支持台紙２０と剥離可能に疑似接着できる場合には透明フィルムを用いなくてもよい。
【００１８】
貼着剤４１としては、接着剤や粘着剤等が好ましい。ここで、接着剤とは、貼着後に硬化させることにより粘着性を失うものであり、粘着剤とは、貼着後もある程度の粘着性を維持するものである。
接着剤としては、天然ゴム系、合成ゴム系、アクリル系、酢酸ビニル系、シアノアクリレート系、シリコーン系、ウレタン系の各種接着剤が挙げられる。これらは、溶剤系、無溶剤系、一液系、二液系、紫外線硬化型など各種のものが使用できる。また、接着剤として、スチレン系ブロック共重合体、エチレン−酢酸ビニル共重合体などの各種ホットメルト接着剤なども使用できる。
粘着剤としては、例えば、ゴム系、アクリル系、ビニルエーテル系等の任意の粘着剤を使用できる。これらの中でも、耐候性、透明性等に優れ、広範な用途に使用できることから、アクリル系粘着剤が好ましく、アクリル系粘着剤としては、エマルジョン型、溶剤型、ホットメルト型等が使用できる。なかでも、安全性、品質面、コスト面からエマルジョン型アクリル系粘着剤が好ましい。さらに、このような粘着剤では、必要に応じて他の任意成分を含有してもよい。他の任意成分としては、タッキファイヤー、粘着性微球体、増粘剤、ｐＨ調整剤、消泡剤、防腐防黴剤、顔料、無機充填剤、安定剤、濡れ剤、湿潤剤等が挙げられる。タッキファイヤーとしては、ロジン系樹脂、テルペン系樹脂、脂肪族系石油樹脂、芳香族系石油樹脂、水添石油樹脂、スチレン系樹脂、アルキルフェノール樹脂等が挙げられる。
【００１９】
支持台紙２０としては、例えば、紙類、フィルム類等を使用できる。紙類としては、キャストコート紙、アート紙、コート紙、上質紙、クラフト紙、グラシン紙等が挙げられ、フィルム類としては、ポリプロピレンやポリエチレン、ポリエチレンテレフタレート、塩化ビニル等の各種高分子フィルムが使用可能であり、さらには蒸着紙、合成紙、布、不織布、金属ホイル等も目的や用途に応じて適宜使用できる。
【００２０】
疑似接着層３０は、剥離したい層（本実施形態ではカード基材１０）に対して剥離可能に接着する熱可塑性樹脂からなる層であり、支持台紙２０と透明フィルム１２とが疑似接着できれば特に制限されない。本実施形態例では、この層はポリエチレンからなっている。疑似接着層３０の厚さは、１０〜６０μｍの範囲であるのが好ましい。疑似接着層３０の厚さが１０μｍ以上であれば疑似接着層３０の形成が容易であり、また、６０μｍ未満であれば経済的に優れている。
【００２１】
カード作成用台紙１を製造するには、まず、カード台紙１１の少なくとも一部に、貼着剤４１を介して透明フィルム１２を貼着し、積層体２を得る（図２参照）。また、支持台紙２０上に、貼り合わせや押出ラミネート等によりポリエチレン膜を積層する。次いで、図６に示すような、ポリエチレン膜が積層された支持台紙２０ａを繰り出す支持台紙用繰り出しロール５１と、溶融状態のポリエチレン５２ａを吐出するＴダイ押出機５２と、積層体２を繰り出す積層体２用繰り出しロール５３と、冷却ロール５４と、冷却ロールに対向して設けられたニップロール５５とを具備するサンドイッチラミネート装置５０を用いて、サンドイッチラミネートを行う。具体的には、支持台紙用繰り出しロール５１からポリエチレン膜が積層された支持台紙２０ａを繰り出し、そのポリエチレン膜上に、Ｔダイ押出機５２から吐出した溶融状態のポリエチレン５２ａを積層する。ここで、ポリエチレン膜及び溶融状態のポリエチレンは別々に積層されたものであるが、これらは同じ材質であるため、一体化して疑似接着層３０を形成する。続いて、溶融状態のポリエチレンが固化する前に、その上に積層体２を重ねる。このとき、積層体２は、透明フィルム１２が疑似接着層３０側になるように重ねる。そして、これらを、冷却ロール５４とニップロール５５との間に通して、圧着しつつ冷却してカード作成用台紙１ａを得る。
次に、カード作成用台紙１ａに、カード台紙１１から透明フィルム１２まで、カード基材１０の形状の歯形を食い込ませてカード状打ち抜き１３を設ける。また、カード基材１０の表面１０ａにカード基材の中心線１７に沿って、筋押し刃による筋押し又はミシン目加工を行い、筋押し部１８を形成させる。以上のようにしてカード作成用台紙１を得る。
【００２２】
なお、支持台紙２０がポリエチレンをラミネートした紙や樹脂フィルム、あるいはポリエチレンフィルムである場合には、疑似接着層を設ける際にポリエチレン膜を積層する工程を省くことができる。つまり、支持台紙２０を繰り出し、その上にＴダイ押出機５２から溶融状態のポリエチレンを積層し、その溶融状態のポリエチレンが固化する前に積層体２を重ねることができる。
【００２３】
次に、本発明のカード作成用台紙の別の実施形態の一例を以下に示し、詳細に説明する。図７〜図９に、片面が透明フィルムでラミネート加工された、２つ折り構造のカードを作成するための、連続帳票のカード作成用台紙１０１について示す。
連続帳票のカード作成用台紙１０１は、図８のように、長尺のカード台紙１１１に該カード台紙１１１の長手方向に沿って、複数の透明フィルム１１２が一定の間隔をおいて貼着剤１４１により貼着された積層体１０２と、支持台紙１２０とが疑似接着層１３０を介して剥離可能に疑似接着されている。このとき、支持台紙１２０は、カード台紙１１１に貼着されたそれぞれの透明フィルム１１２に疑似接着される。
【００２４】
積層体１０２には、カード台紙１１１から透明フィルム１１２まで、２つ折り構造のカードの形状でカード状打ち抜き１１３が設けられ、カード基材１１０が形成される。したがって、カード作成用台紙１０１では、複数のカード基材１１０が連続して形成されており、それぞれのカード基材１１０が支持台紙１２０に剥離可能に疑似接着されている。
これにより、カード基材１１１ａと透明フィルム１１２ａが貼着剤１４１により貼着されたカード基材１１０が、カード作成用台紙１０１から剥離できるようになっている。
【００２５】
また、長尺のカード台紙１１１には、図７に示すように、カード基材１１０とカード基材１１０の間に、ミシン目加工が施されており、折りミシン部６１と中間ミシン部６２が交互に設けられる。折りミシン部６１は、カード台紙の端縁１１１ａから端縁１１１ｂまで設けられる。一方、中間ミシン部６２は、端縁１１１ａ、１１１ｂからそれぞれ２ｍｍ〜１５ｍｍ内側の部分まで設けられる。これにより、カード作成用台紙１０１は、折りミシン部６１に沿って、台紙部分４ごとに折り畳むことができる。台紙部分４は、中間ミシン部６２によって、第１の台紙部分４ａと第２の台紙部分４ｂとに分かれており、台紙部分４ａ、４ｂはそれぞれ１つのカード基材１１０を有する。
このように、カード作成用台紙１０１は、枚葉のカード作成用台紙１に相当する台紙部分４ａ、４ｂが連続して連なったカード作成用台紙である。
【００２６】
カード基材１１０は、カード基材１０と同様に、第１のカード部分１１４と第２のカード部分１１５を有する。また、カード部分１１４、１１５の隅角部１１４ａ、１１４ｂ、１１５ａ、１１５ｂは丸くなっている。そのため、第１のカード部分１１４と第２のカード部分１１５との間には、カードの隅角部１１４ｂ、１１５ｂによって、くびれ部分１１６が形成される。カード基材１１０のくびれ部分１１６の形状は、カード基材１０の場合と同様に、角のない形状であるのが好ましい（図４参照）。くびれ部分１１６に角がなければ、カード基材１１０をカード作成用台紙１０１から剥離する際に、カード基材１１０が破れにくくなる。
【００２７】
また、カード基材１１０には、カード基材の表面１１０ａに、カード基材の中心線１１７に沿って筋押し部１１８が設けてある。そのため、カード基材１１０は、カード表面１１０ａを内側にして、筋押し部１１８に沿って容易に折り畳むことができる。
本発明のカード作成用台紙１０１では、図９に示す、カード基材の外縁１１０ｂから筋押し部の末端１１８ａまでの距離ａ２が０．５ｍｍ以上であることを特徴とする。また、距離ａ２が１ｍｍ〜２０ｍｍの範囲であるのが好ましい。距離ａ２が１ｍｍ以上であれば、カード基材１１０を支持台紙１２０から剥離する際、カード基材１１０が破れにくくなる。また、距離ａ２が２０ｍｍ以内であれば、カード基材１１０が筋押し部１１８に沿って綺麗に折り畳みやすくなる。
【００２８】
筋押し部１１８の幅ｂ２は、０．５ｍｍ〜２．５ｍｍの範囲であるのが好ましい。幅ｂ２が０．５ｍｍ以上であれば、カード基材１１０が筋押し部１１８に沿って折り畳みやすい。また、幅ｂ２が２．５ｍｍ以内であれば、カード基材１１０をより綺麗に折り畳みやすくなる。
ここで、筋押し部１１８は、筋押し刃等による筋押し以外に、ミシン目加工線を設けてもよく、筋押しとミシン目加工線を混合して設けても構わない。また、筋押し部１１８は破線状に設けてもよい。
【００２９】
また、カード作成用台紙１０１のうち、カード台紙１１１を除く、それぞれの積層体１０３は、以下のようにするのが好ましい。
カード作成用台紙１０１を折りミシン部６１に沿って折り畳む際には、台紙部分４が、積層体１０３の、折りミシン部６１に並行する端縁１０３ａの周辺で湾曲してしまうことがある。この場合には、その湾曲によって、カード基材１１０が、折りミシン部６１に並行するカード状打ち抜き辺１１３ａの近傍で、カード作成用台紙１０１から剥離してしまう。
【００３０】
そこで、積層体１０３を大きくし、積層体１０３の、折りミシン部６１と並行する端縁１０３ａと、折りミシン部６１との距離ｃを１ｍｍ〜１０ｍｍの範囲とするのが好ましい。距離ｃを小さくして、積層体の端縁１０３ａをカード基材１１０から遠くすれば、上記の湾曲部分がカード基材１１０から遠くなる。また、積層体１０３は、積層構造を有しているため折れ曲がりにくいので、カード基材１１０周辺まで湾曲が伝わりにくくなる。したがって、カード基材１１０がカード作成用台紙１０１から剥離しにくくなる。また、連続印字後に再度折り畳む際に、折りミシン部６１に沿って確実に折り畳める。
【００３１】
また、カード状打ち抜き辺１１３ａの部分をマイクロミシン加工しておくことも好ましい。カード状打ち抜き辺１１３ａの部分をマイクロミシン加工すれば、マイクロミシン目中の非打ち抜き部によりカード状打ち抜き辺１１３ａ部に腰をもたせることができる。したがって、カード作成用台紙１０１を折りミシン部６１に沿って折り畳んでも、カード基材１１０がカード作成用台紙１０１から剥離しにくくなる。また、連続印字後に再度折り畳む際に、折りミシン部６１にて確実に折り畳める。
このマイクロミシン加工は、カード作成用台紙１０１に設けられたカード基材１１０の向きにかかわらず、カード状打ち抜き１１３のうち、折りミシン部６１と並行するカード状打ち抜き辺にて行う。
【００３２】
カード作成用台紙１０１を製造する方法を以下に示す。まず、長尺のカード台紙１１１に該カード台紙１１１の長手方向に沿って、一定の間隔を開けて、複数の透明フィルム１１２を順次貼着剤１４１で貼着していき、積層体１０２を形成する。また、支持台紙１２０上に、貼り合わせや押出ラミネート等によりポリエチレン膜を形成する。次いで、図６のように、支持台紙用繰り出しロール５１からポリエチレン膜が積層された支持台紙１２０ａを繰り出し、そのポリエチレン膜上に、Ｔダイ押出機５２から吐出した溶融状態のポリエチレンを積層する。ここで、ポリエチレン膜及び溶融状態のポリエチレンは別々に積層されたものであるが、これらは同じ材質であるため、一体化して疑似接着層１３０を形成する。続いて、溶融状態のポリエチレンが固化する前に、その上に積層体１０２を重ねる。このとき、積層体１０２は、透明フィルム１１２が疑似接着層１３０側になるように重ねる。そして、これらを、冷却ロール５４とニップロール５５との間に通して、圧着しつつ冷却してカード作成用台紙１０１ａを得る。
次に、カード作成用台紙１０１ａに、カード台紙１１１側から、カード基材１１０の形状の歯形を食い込ませ、カード状打ち抜き１１３を設ける。また、カード基材の表面１１０ａに筋押し又はミシン目加工を施して筋押し部１１８を設ける。また、カード台紙１１１にミシン目加工し、折りミシン部６１及び中間ミシン部６２を形成させる。また、カード状打ち抜き辺１１３ａをマイクロミシン加工する。その後、折りミシン部６１に沿ってカード作成用台紙を折り畳み、連続帳票のカード作成用台紙１０１を得る。
【００３３】
なお、カード作成用台紙１０１の場合も、支持台紙１２０がポリエチレンをラミネートした紙や樹脂フィルム、あるいはポリエチレンフィルムである場合には、疑似接着層を設ける際にポリエチレン膜を積層する工程を省くことができる。つまり、支持台紙１２０を繰り出し、その上にＴダイ押出機５２から溶融状態のポリエチレンを積層し、その溶融状態のポリエチレンが固化する前に積層体１０２を重ねることができる。
【００３４】
次に、本発明の枚葉のカード作成用台紙１を例にして、カード基材１０を剥離する様子について、図１０に基づいて説明する。連続帳票のカード作成用台紙１０１におけるカード基材１１０の剥離については、枚葉のカード作成用台紙１の場合と同様である。
【００３５】
カード作成用台紙からカード基材を剥離するには、カードの隅角部から順に剥がしていくのが一般的である。例えば、第１のカード部分１４の隅角部１４ａから順に剥がすことが考えられる。この場合には、筋押し部１８のある部分までカード基材１０が剥がされたとき、つまり、本実施形態例では、くびれ部分１６までカード基材１０が剥がされたときには、くびれ部分の外縁１６ａに、カード部分１５の内側方向へと力が加わる。
このとき、くびれ部分の外縁１６ａに加えられた力によって、カード部分１５の隅角部１５ｂを剥離させなければならない。したがって、くびれ部分の外縁１６ａには大きなせん断力が加わる。
【００３６】
本発明のカード作成用台紙１では、筋押し部の末端１８ａがカード基材の外縁１０ｂから０．５ｍｍ以上離れるように筋押し部１８が形成されているため、くびれ部分の外縁１６ａは筋押しもミシン目加工も施されていない。したがって、くびれ部分の外縁１６ａの強度が低下していないため、カード基材１０がくびれ部分から破れにくい。
くびれ部分のないカード基材であっても、筋押し又はミシン目加工線の末端が、カード基材の外縁１０ｂから０．５ｍｍ以上離れて形成されていれば、カード基材をカード作成用台紙から剥離する際に、カード基材が途中から破れにくくなる。
【００３７】
尚、本発明のカード作成用台紙は、上述したものに限られない。例えば、２つ折り構造のカード用のカード作成用台紙には限定されず、３つ折り構造や４つ折り構造のカード用のカード作成用台紙であってもよい。また、くびれ部分のないカード用のカード作成用台紙であってもよい。また、片面のみがラミネート加工されたカード用に限定されることもなく、両面がラミネート加工されたカード用、両面ともラミネート加工されていないカード用のカード作成用台紙であってもよい。
また、支持台紙とカード基材との接着は剥離可能であれば、上述したような疑似接着には限られない。例えば、支持台紙として剥離紙を用い、カード基材と剥離紙とが貼着剤で貼着されたカード作成用台紙であってもよい。このようなカード作成用台紙を用いれば、カード基材をカード作成用台紙から剥離した後に、カード基材を折り畳んで第１のカード部分と第２のカード部分とを貼着剤で貼着できるカードが作成できる。
また、例えば、注意書き等でカード基材を剥がし始める場所を図１０に示すような場所に限定するときには、反対側の筋押し部の末端１８ａ’がカード基材の外縁に到達していてもよい。
【産業上の利用可能性】
【００３８】
以上説明した、本発明のカード作成用台紙は、カード基材をカード作成用台紙から剥離する際に、カード基材が破れにくい。したがって、個人用カード等のカード作成用台紙として広い応用が期待できる。
【図面の簡単な説明】
【００３９】
【図１】本発明の一実施形態である、枚葉のカード作成用台紙の一例を示した正面図である。
【図２】図１のＡ−Ａ’線で切断した時の断面図である。
【図３】図１のくびれ部分を拡大した正面図である。
【図４】カード基材のくびれ部分の好適な形状の例を示した正面図である。
【図５】筋押し部がミシン目加工線であるカード基材のミシン目加工線部分の拡大図である。
【図６】サンドイッチラミネート装置の一例を示す模式図である。
【図７】本発明の一実施形態である、連続帳票のカード作成用台紙の一例を示した正面図である。
【図８】図７のＢ−Ｂ’線で切断した時の断面図である。
【図９】図７のくびれ部分の拡大図である。
【図１０】図１のカード作成用台紙から、カード基材を剥離する様子の一例を示す正面図である。
【符号の説明】
【００４０】
１  カード作成用台紙
１０  カード基材
１０ｂ  カード基材の外縁
１８  筋押し部
１８ａ  筋押し部の末端
２０  支持台紙
１０１  カード作成用台紙
１１０  カード基材
１１０ｂ  カード基材の外縁
１１８  筋押し部
１１８ａ  筋押し部の末端
１２０支持台紙
【図１】
2008229975.tif 000003
【図２】
2008229975.tif 000004
【図３】
2008229975.tif 000005
【図４】
2008229975.tif 000006
【図５】
2008229975.tif 000007
【図６】
2008229975.tif 000008
【図７】
2008229975.tif 000009
【図８】
2008229975.tif 000010
【図９】
2008229975.tif 000011
【図１０】
2008229975.tif 000012